(57)【要約】【課題】保守端末を昇降設備に無線で接続することができ、無線接続の際の認証が可能であり保守端末の紛失に対するリスクを低減できるセキュリティ性の高い昇降設備の保守管理システムを提供する。【解決手段】無線タグリーダー３と無線通信処理部４を備えインターネットに接続する保守端末１と、無線タグ１０と無線通信装置１２を備える昇降設備９と、インターネットに接続し保守用データ１６を保存したサーバー１５と、インターネットに接続したコンピュータ２を備える。無線タグリーダー３は、無線タグ１０に記録されている情報を無線タグ通信８で読み取る。無線通信処理部４は、無線タグ通信８とは異なる無線方式７で無線通信装置１２と通信可能であり、保守用データ１６を昇降設備９に送信する。コンピュータ２は、サーバー１５から保守用データ１６を取得し、保守用データ１６を保守端末１に送信し、保守用データ１６を用いて昇降設備９の保守を実施する。【選択図】図１
2015117098.tif 000002
【特許請求の範囲】
【請求項１】
昇降設備の保守を実施する保守管理システムにおいて、
無線タグリーダーと無線通信処理部とを備え、インターネットに接続可能な保守端末と、
無線タグと無線通信装置とを備える昇降設備と、
インターネットに接続可能であり、保守用データを保存したサーバーと、
インターネットに接続されたコンピュータと、を備え、
前記無線タグリーダーは、前記無線タグに記録されている情報を無線タグ通信で読み取り、
前記無線通信処理部は、前記無線タグ通信とは異なる無線方式で前記無線通信装置と通信可能であり、前記昇降設備の保守を実施するときに前記保守用データを前記昇降設備に送信し、
前記コンピュータは、前記サーバーから前記保守用データを取得し、前記保守端末と接続して前記保守用データを前記保守端末に送信し、前記保守用データを用いて前記昇降設備の保守を実施する、
ことを特徴とする昇降設備の保守管理システム。
【請求項２】
前記保守端末は、前記昇降設備の保守を実施するときに保守員に携帯され、前記無線タグリーダーが読み取った前記無線タグに記録されている情報を用いて前記保守員を認証する請求項１に記載の昇降設備の保守管理システム。
【請求項３】
前記コンピュータは、前記昇降設備の保守の過程で前記保守端末に格納された一時的なデータを削除する請求項１に記載の昇降設備の保守管理システム。
【請求項４】
昇降設備の保守に用いられる保守端末において、
無線タグリーダーと無線通信処理部とを備え、インターネットに接続可能であり、
前記無線タグリーダーは、昇降設備が備える無線タグに記録されている情報を無線タグ通信で読み取り、
前記無線通信処理部は、前記無線タグ通信とは異なる無線方式で前記昇降設備が備える無線通信装置と通信可能であり、
前記昇降設備の保守を実施するときに、インターネットに接続されたコンピュータがインターネットに接続されたサーバーから取得した保守用データを、前記コンピュータから受信して、前記無線通信処理部により前記昇降設備に送信する、
ことを特徴とする昇降設備の保守端末。
【請求項５】
保守端末を用いて保守が実施される昇降設備において、
無線タグと無線通信装置とを備え、
前記無線タグは、前記無線タグに記録されている情報が、インターネットに接続可能な保守端末が備える無線タグリーダーにより無線タグ通信で読み取られ、
前記無線通信装置は、前記無線タグ通信とは異なる無線方式で、前記保守端末が備える無線通信処理部と通信可能であり、
前記無線通信装置により前記保守端末から保守用データを受信して保守が実施され、
前記保守用データは、インターネットに接続されたコンピュータがインターネットに接続されたサーバーから取得し、前記コンピュータから前記保守端末に送信されたデータである、
ことを特徴とする昇降設備。
【発明の詳細な説明】
【技術分野】
【０００１】
本発明は、昇降設備の保守管理システムに関する。
【背景技術】
【０００２】
昇降設備の保守管理を行う場合、保守員は、現地にて保守端末を操作して保守を実施する際に、保守端末を通信ケーブルで昇降設備に接続する必要がある。このような方法では、保守管理作業のたびに昇降設備と保守端末とを通信ケーブルで有線接続する必要があり、手間がかかるという課題がある。この課題を解決する方法として、例えば特許文献１と特許文献２には、昇降設備と保守端末とを無線で接続する技術が記載されている。特許文献１には、ＰＨＳ網に接続するＰＨＳ端末を使用してエレベーターを監視・診断する技術が開示されている。特許文献２には、近距離無線通信を行う保守管理装置が開示されている。
【先行技術文献】
【特許文献】
【０００３】
【特許文献１】特開２００５−１７０６６２号公報
【特許文献２】特開２０１３−１５９４５５号公報
【発明の概要】
【発明が解決しようとする課題】
【０００４】
従来の技術では、保守員は、保守管理を行う現地まで保守端末を携帯し、保守端末を昇降設備に無線で接続して、昇降設備の保守管理を行う。保守端末を昇降設備に無線で接続する際には、接続が正規なものであるか、接続する装置が正しいかなどを認証する必要がある。また、保守員は、現地へまたは現地から移動する間に保守端末を紛失するおそれがある。保守端末には、一般に保守ツール、保守プログラム、および保守データなどの情報が保存されており、これらは営業秘密である。すなわち、保守員は、保守管理の際に、保守端末を紛失して営業秘密を漏洩するおそれがあるというリスクを抱えている。
【０００５】
このため、無線接続の際の認証が可能であり保守端末の紛失に対するリスクを低減できるセキュリティ性の高い保守管理システムが求められている。しかし、従来の保守管理システムでは、このようなセキュリティ性を向上させることは考慮されていない。
【０００６】
本発明は、保守端末を昇降設備に無線で接続することができ、無線接続の際の認証が可能であり保守端末の紛失に対するリスクを低減できるセキュリティ性の高い昇降設備の保守管理システムを提供することを目的とする。
【課題を解決するための手段】
【０００７】
本発明による昇降設備の保守管理システムは、次のような特徴を備える。
【０００８】
昇降設備の保守を実施する保守管理システムにおいて、無線タグリーダーと無線通信処理部とを備えインターネットに接続可能な保守端末と、無線タグと無線通信装置とを備える昇降設備と、インターネットに接続可能であり保守用データを保存したサーバーと、インターネットに接続されたコンピュータとを備える。前記無線タグリーダーは、前記無線タグに記録されている情報を無線タグ通信で読み取る。前記無線通信処理部は、前記無線タグ通信とは異なる無線方式で前記無線通信装置と通信可能であり、前記昇降設備の保守を実施するときに前記保守用データを前記昇降設備に送信する。前記コンピュータは、前記サーバーから前記保守用データを取得し、前記保守端末と接続して前記保守用データを前記保守端末に送信し、前記保守用データを用いて前記昇降設備の保守を実施する。
【発明の効果】
【０００９】
本発明によると、保守端末を昇降設備に無線で接続することができ、無線接続の際の認証が可能であり保守端末の紛失に対するリスクを低減できるセキュリティ性の高い昇降設備の保守管理システムを提供することができる。
【図面の簡単な説明】
【００１０】
【図１】本発明の実施例による昇降設備の保守管理システムの構成を示す図である。
【発明を実施するための形態】
【００１１】
本発明は、昇降設備の保守対象装置の保守作業において、保守端末を昇降設備に無線で接続でき、保守端末と昇降設備との接続の認証ができて、保守端末の紛失に対するリスクを低減できるセキュリティ性が高い保守管理システムを提供する。
【００１２】
本発明による昇降設備の保守管理システムは、保守端末が近距離無線通信処理部を備え、保守対象であるエレベーター等の昇降設備が近距離無線通信装置を備え、保守端末と昇降設備とが互いに近距離無線通信を行って保守を実施する。保守端末と昇降設備との接続の認証には、この近距離無線通信とは異なる方式の無線通信（無線タグを用いた通信）を利用する。また、保守端末は、保守用データを保存せず、保守作業も実行しない。昇降設備の保守対象装置の保守作業は、インターネットに接続されたコンピュータ（保守制御部）が、インターネットに接続された管制センターのサーバーに保存された保守用データを用いて、保守端末を介して実行する（いわゆる「クラウドコンピューティング」で保守作業を実施する）。
【００１３】
このようにして、本発明による昇降設備の保守管理システムでは、保守端末と保守対象装置との接続が簡略化できるとともに接続の認証ができ、保守端末が保守用データを保存しないので保守端末の紛失に対するリスクを低減でき、セキュリティ性が向上できるという利点がある。
【００１４】
以下、本発明の実施例による昇降設備の保守管理システムを、図面を用いて説明する。
【００１５】
図１は、本実施例による昇降設備の保守管理システムの構成を示す図である。本実施例の保守管理システムは、昇降設備９と、保守員が携帯して操作する保守端末１と、管制センター１３とを備える。
【００１６】
昇降設備９は、保守対象装置１１と、無線タグ１０と、近距離無線通信装置１２とを備える。昇降設備９は、例えば、エレベーターやエスカレーターである。保守対象装置１１は、例えば、制御装置や表示装置のプリント基板などである。無線タグ１０には、保守員を認証するための識別番号や、昇降設備９と保守対象装置１１の識別番号と保守計画（例えば、保守の日時と保守対象装置１１を特定した計画）などの情報が記録される。無線タグ１０として、例えば、ＮＦＣ（Ｎｅａｒ  Ｆｉｅｌｄ  Ｃｏｍｍｕｎｉｃａｔｉｏｎ）タグを用いることができる。
【００１７】
保守端末１は、無線タグリーダー３と、近距離無線通信処理部４と、回線接続処理部５と、認証装置６とを備える。保守端末１として、例えば、パソコン、タブレット端末、およびスマートフォンを用いることができる。無線タグリーダー３は、無線タグ通信８により、昇降設備９の無線タグ１０に記録されている情報を読み取ることができる。近距離無線通信処理部４は、昇降設備９の近距離無線通信装置１２と近距離無線通信７が可能であり、情報を送受信することができる。近距離無線通信７は、例えばＷｉ−ＦｉやＢｌｕｅｔｏｏｔｈ（登録商標）等の規格による通信であり、無線タグ通信８とは異なる方式の無線通信であれば、任意の方式を利用することができる。保守端末１は、回線接続処理部５を介してインターネットに接続可能である。
【００１８】
管制センター１３は、保守用データ１６が格納されたサーバー１５と、回線接続処理装置１４を備える。保守用データ１６は、例えば、保守対象装置１１を動作させるソフトウェアや、保守対象装置１１の動作時に使うパラメータである。保守対象装置１１は、保守用データ１６により、ソフトウェアが更新されたり、パラメータが変更されたりする。サーバー１５は、回線接続処理装置１４を介してインターネットに接続可能である。
【００１９】
また、保守端末１と管制センター１３は、インターネットで互いに接続されたコンピュータ資源１８（いわゆる「クラウドコンピューティング」、以下「クラウド１８」と称する）に接続可能である。クラウド１８には、昇降設備９の保守対象装置１１の保守作業を実行する保守制御部２が備えられる。保守制御部２は、クラウド１８上のコンピュータで構成することができる。保守端末１の回線接続処理部５と管制センター１３の回線接続処理装置１４は、ともに回線網１７を介して保守制御部２に接続可能である。回線網１７としては、クラウド１８上の保守制御部２に接続できれば任意の通信網を利用でき、例えば、セキュリティ性が高いＶＰＮ等の専用回線網またはモバイル回線網を利用してもよい。
【００２０】
このようにして、保守制御部２は、回線網１７を介して保守端末１およびサーバー１５と接続し、これらとの間で情報を送受信することができる。また、保守制御部２は、昇降設備９と近距離無線通信７を行う保守端末１を介して、昇降設備９との間で情報を送受信することができる。
【００２１】
無線タグ１０には、保守員を認証するための識別番号や、昇降設備９と保守対象装置１１の識別番号と保守計画などの情報が、予め記録されているものとする。また、無線タグ１０に記録された情報は、回線網１７と近距離無線通信７とを介してサーバー１５から受信したデータによって更新することもできる。
【００２２】
認証装置６には、保守員を認証するための識別番号が保存されている。認証装置６は、この識別番号を予め保存していてもよいし、必要に応じて、回線網１７を介して管制センター１３のサーバー１５から読み込んで保存してもよい。
【００２３】
保守制御部２は、昇降設備９と保守対象装置１１の識別番号と保守計画などの情報や、保守対象装置１１の保守作業を実行するための保守ツールや保守プログラムを保存することができる。保守制御部２は、これらの情報と保守ツールや保守プログラムを予め保存していてもよいし、必要に応じて回線網１７を介して管制センター１３のサーバー１５から読み込んで保存してもよい。
【００２４】
以下、本実施例による、昇降設備の保守管理システムの詳細な構成を、保守員が行う昇降設備の保守管理の手順とともに説明する。
【００２５】
保守員は、現地の昇降設備９の保守を行う前に、昇降設備９に備えられた無線タグ１０に近接し、保守端末１を操作して自らが正規の保守員であることを認証する。保守端末１の認証装置６は、保守端末１の無線タグリーダー３が無線タグ通信８を介して読み取った無線タグ１０の情報（保守員の識別番号）により、保守端末１を携帯している保守員が正規の保守員であることを判別する。
【００２６】
保守員は、自らが正規の保守員であることを認証できた場合には、保守端末１を操作して、回線接続処理部５と回線網１７とを接続し、保守端末１とクラウド１８上で動作する保守制御部２とを接続する。保守端末１と保守制御部２とが接続したら、保守員は、保守端末１を操作して、保守制御部２に昇降設備９の保守作業を実行させる。
【００２７】
保守制御部２は、保守端末１の無線タグリーダー３を制御して昇降設備９の無線タグ１０を起動させ、無線タグ通信８と回線網１７を介して昇降設備９の識別番号を受信し、昇降設備９が保守の対象であるかを判別する。昇降設備９が保守の対象である場合には、保守制御部２は、管制センター１３のサーバー１５に保存された保守用データ１６を用いて、保守端末１を介して、昇降設備９の保守対象装置１１の保守作業を、以下のように実行する。
【００２８】
保守制御部２は、保守端末１の近距離無線通信処理部４と昇降設備９の近距離無線通信装置１２とを無線で接続して、保守端末１から昇降設備９への近距離無線通信７を確立し、保守対象装置１１の保守作業のための通信網を確立する。
【００２９】
保守端末１から昇降設備９への近距離無線通信７が確立したら、保守制御部２は、回線網１７を介して、管制センター１３のサーバー１５にアクセスし、サーバー１５から保守用データ１６を取得する。
【００３０】
保守制御部２は、取得した保守用データ１６を用いて、保守端末１を介して、保守対象装置１１の保守を実施する。保守制御部２は、取得した保守用データ１６を、回線網１７を介して保守端末１に送信する。保守端末１は、保守制御部２から保守用データ１６を受信し、受信した保守用データ１６を、近距離無線通信７を介して昇降設備９に送信する。保守制御部２は、昇降設備９へ送信された保守用データ１６を用いて、回線網１７と近距離無線通信７とを介して、保守作業、例えば、保守対象装置１１を動作させるソフトウェアの更新や保守対象装置１１が使うパラメータの変更を実行する。
【００３１】
保守対象装置１１は、保守の実施中や実施後に、近距離無線通信７を介して保守端末１に、保守に関するデータ（例えば、ソフトウェアの更新やパラメータの変更の成否を示すデータなど）を送信することができる。保守端末１は、この保守に関するデータを、回線網１７を介して保守制御部２に送信することができる。保守制御部２は、保守端末１から取得した保守に関するデータを、回線網１７を介してサーバー１５に送信する。サーバー１５は、この保守に関するデータを保存する。
【００３２】
保守が完了したら、保守制御部２は、保守端末１に格納された保守用データ１６と保守に関するデータを削除する。保守端末１に格納された保守用データ１６と保守に関するデータは、保守作業の過程において生成されたりコピーされたりして、一時的に保守端末１に格納されたデータ（テンポラリデータ）であるので、削除してもよい。また、保守制御部２は、保守制御部２に格納された保守用データ１６と保守に関するデータも削除することができる。保守制御部２に格納された保守用データ１６と保守に関するデータの削除は、保守端末１またはサーバー１５が行うこともできる。
【００３３】
昇降設備９の保守対象装置１１を増やした場合には、増やした保守対象装置１１に対応して無線タグ１０を増やして昇降設備９に設ける。そして、増やした保守対象装置１１に対応して保守制御部２の動作を変更することで、クラウド１８上で動作する保守制御部２に、昇降設備９や保守対象装置１１が保守の対象であるかの判別や保守作業を実行させることができる。保守制御部２の動作は、保守制御部２が回線網１７を介してサーバー１５から変更した保守ツールや保守プログラムを読み込むことで、変更できる。
【００３４】
本実施例による昇降設備の保守管理システムは、保守員の認証には無線タグ通信８を用い、保守の実施には近距離無線通信７を用いる。このため、保守端末１と昇降設備９とをケーブルで接続する作業が不要であるとともに、保守員の認証、昇降設備９や保守対象装置１１が保守の対象であるかの判別、保守対象装置１１の保守などの作業を簡略化することができる。
【００３５】
無線タグ通信８は通信距離が１０ｃｍ程度と短いので、本実施例のように無線タグ通信８を用いると、保守員の認証の際に、保守を実施しない昇降設備と保守端末１との間で無線タグ通信８を行うという誤動作が発生することがない。このため、無線タグ通信８は、保守員の認証を確実にできるという利点がある。
【００３６】
一方、近距離無線通信７は、通信距離が数十ｍと長く、通信できるデータ量が大きいのが特徴である。このため、近距離無線通信７は、保守用データ１６や保守に関するデータのデータ量が大きくても短時間で送受信することができ、保守作業を短時間で実行するのに適しているという利点がある。
【００３７】
本実施例による昇降設備の保守管理システムは、これら２つの通信方式の利点を生かして、セキュリティ性と利便性を向上させたものである。
【００３８】
また、本実施例による昇降設備の保守管理システムでは、クラウド１８上で動作する保守制御部２が保守作業を実行し、保守端末１は、保守用データ１６、保守ツール、保守プログラム、および保守に関するデータを保存しない。このため、本実施例による昇降設備の保守管理システムは、保守端末の紛失に対するリスクを低減でき、高いセキュリティ性を持つことができる。
【００３９】
なお、本発明は、上記の実施例に限定されるものではなく、様々な変形例を含む。例えば、上記の実施例は、本発明を分かりやすく説明するために詳細に説明したものであり、本発明は、必ずしも説明した全ての構成を備える態様に限定されるものではない。
【００４０】
また、各図面において、制御線や情報線は説明上必要と考えられるものを記載しており、必ずしも製品として必要な全ての制御線や情報線を記載しているとは限らない。
【符号の説明】
【００４１】
１…保守端末、２…保守制御部、３…無線タグリーダー、４…近距離無線通信処理部、５…回線接続処理部、６…認証装置、７…近距離無線通信、８…無線タグ通信、９…昇降設備、１０…無線タグ、１１…保守対象装置、１２…近距離無線通信装置、１３…管制センター、１４…回線接続処理装置、１５…サーバー、１６…保守用データ、１７…回線網、１８…クラウド。
【図１】
2015117098.tif 000003